(57)【要約】【課題】安定して有効な加湿量の変更を可能とする。【解決手段】水を貯留する貯水部２３４と、用紙Ｐを加湿する加湿ローラー２３１と、保水量の異なる３つの給水ローラー２３２を有し、３つの給水ローラー２３２のうちの一の給水ローラー２３２が加湿ローラー２３１に接触して、貯水部２３４から吸い上げた水を加湿ローラー２３１に供給する給水ローラーユニットＵ１と、用紙条件に応じて、加湿ローラー２３１に接触する給水ローラー２３２を切換えて、加湿ローラー２３１の加湿量を制御する制御部と、を備える。【選択図】図４
2018039580.tif 000002
【特許請求の範囲】
【請求項１】
水を貯留する貯水部と、
用紙を加湿する加湿ローラーと、
保水量の異なる少なくとも２つの給水ローラーを有し、前記少なくとも２つの給水ローラーのうちの少なくとも一の給水ローラーが前記加湿ローラーに接触して、前記貯水部から吸い上げた水を前記加湿ローラーに供給する給水ローラーユニットと、
用紙条件に応じて、前記加湿ローラーに接触する給水ローラーを切換えて、前記加湿ローラーの加湿量を制御する制御部と、
を備えたことを特徴とする用紙加湿装置。
【請求項２】
前記加湿ローラーに接触する給水ローラーは、前記貯水部に貯留された水に浸漬しており、
前記制御部は、前記加湿ローラーに接触する給水ローラーを切換える際、
前記加湿ローラーに接触する前記一の給水ローラーを、前記貯水部に貯留された水及び前記加湿ローラーから離間させ、他の給水ローラーを、前記貯水部に貯留された水に浸漬させ且つ前記加湿ローラーに接触させることを特徴とする請求項１に記載の用紙加湿装置。
【請求項３】
前記給水ローラーユニットは、
回転軸を中心に回転可能な支持部と、
前記支持部に支持された前記少なくとも２つの給水ローラーと、
前記支持部を前記回転軸の周りに回転させる駆動部と、
前記支持部を前記加湿ローラーの方向に付勢する付勢部材と、を備え、
前記制御部は、
前記駆動部の駆動により前記支持部を回転させることで、前記加湿ローラーに接触する給水ローラーを切換えることを特徴とする請求項２に記載の用紙加湿装置。
【請求項４】
前記給水ローラーユニットは、
回転軸を中心に回転可能な支持部と、
前記支持部に支持された前記少なくとも２つの給水ローラーと、
前記支持部を前記回転軸の周りに回転させる回転駆動部と、
前記支持部を水平移動させる水平駆動部と、を備え、
前記制御部は、
前記水平駆動部の駆動により前記支持部を前記加湿ローラーから離間させ、前記回転駆動部の駆動により前記支持部を回転させた後、前記前記水平駆動部の駆動により前記支持部を前記加湿ローラーに接近させることで、前記加湿ローラーに接触する給水ローラーを切換えることを特徴とする請求項２に記載の用紙加湿装置。
【請求項５】
前記給水ローラーユニットは、前記加湿ローラーに接触する給水ローラーと接触して当該給水ローラー上の水を規制する規制部材を備えることを特徴とする請求項１〜４の何れか一項に記載の用紙加湿装置。
【請求項６】
前記規制部材は、前記加湿ローラーに接触する給水ローラーに圧着されており、他の給水ローラーから離間されていることを特徴とする請求項５に記載の用紙加湿装置。
【請求項７】
前記規制部材は、ローラー部材であって、
前記支持部の回転軸と、前記規制部材の回転軸とは、同一であることを特徴とする請求項５又は６に記載の用紙加湿装置。
【請求項８】
前記給水ローラーユニットは、前記加湿ローラーの周囲に沿って、隣接するもの同士が接触するように配置される３つの給水ローラーを有し、
前記３つの給水ローラーのうちの最下方の給水ローラーは、前記貯水部に貯留された水に浸漬しており、
前記３つの給水ローラーは、各々が前記加湿ローラーに接離可能であって、
前記制御部は、前記加湿ローラーに接触する給水ローラーを切換える際、
前記加湿ローラーに接触する前記一の給水ローラーを前記加湿ローラーから離間させ、他の給水ローラーを前記加湿ローラーに接触させることを特徴とする請求項１に記載の用紙加湿装置。
【請求項９】
前記３つの給水ローラーは、
前記貯水部に貯留された水に浸漬する第１の給水ローラー、前記第１の給水ローラーに接触する第２の給水ローラー、及び前記第２の給水ローラーに接触する第３の給水ローラーであって、
前記第１の給水ローラー、前記第２の給水ローラー、前記第３の給水ローラーの順に、保水量が大きいことを特徴とする請求項８に記載の用紙加湿装置。
【請求項１０】
前記給水ローラーユニットは、前記加湿ローラーの周囲に沿って、互いに接離可能に配置される２つの給水ローラーと、前記加湿ローラーに接触する給水ローラーと接触して当該給水ローラー上の水を規制する規制部材と、を有し、
前記２つの給水ローラーのうちの下方の給水ローラーは、前記貯水部に貯留された水に浸漬しており、
前記２つの給水ローラーは、各々が前記加湿ローラーに接離可能であって、
前記制御部は、前記加湿ローラーに接触する給水ローラーを切換える際、
前記加湿ローラーに接触する前記一の給水ローラーを前記加湿ローラーから離間させ、他の給水ローラーを前記加湿ローラーに接触させることを特徴とする請求項１に記載の用紙加湿装置。
【請求項１１】
前記２つの給水ローラーは、
前記貯水部に貯留された水に浸漬する第１の給水ローラー、及び前記第１の給水ローラーに対して接離可能な第２の給水ローラーであって、
前記第１の給水ローラー、前記第２の給水ローラーの順に、保水量が大きいことを特徴とする請求項１０に記載の用紙加湿装置。
【請求項１２】
前記制御部は、前記加湿ローラーに前記第２の給水ローラーを接触させる場合、前記第１の給水ローラーと前記第２の給水ローラーとを接触させることを特徴とする請求項１１に記載の用紙加湿装置。
【請求項１３】
前記少なくとも２つの給水ローラーは、表面粗さが互いに異なることにより保水量が異なるものであることを特徴とする請求項１〜１２の何れか一項に記載の用紙加湿装置。
【請求項１４】
前記加湿ローラーを回転駆動させる加湿ローラー駆動部を備え、
前記加湿ローラー駆動部の駆動による前記加湿ローラーの回転に伴って、前記加湿ローラーに接触した給水ローラーが従回転することを特徴とする請求項１〜１３の何れか一項に記載の用紙加湿装置。
【請求項１５】
用紙を挟持する２つの前記加湿ローラーと、
２つの前記加湿ローラーの各々に対して設けられた２つの前記給水ローラーユニットと、を備え、
２つの前記給水ローラーユニットは、左右対称であることを特徴とする請求項１〜１４の何れか一項に記載の用紙加湿装置。
【請求項１６】
用紙に対して画像を形成する画像形成装置と、
前記画像形成装置に接続され、前記画像形成装置により画像が形成された用紙を加湿する請求項１〜１５の何れか一項に記載の用紙加湿装置と、
を備えたことを特徴とする画像形成システム。
【発明の詳細な説明】
【技術分野】
【０００１】
本発明は、用紙加湿装置及び画像形成システムに関する。
【背景技術】
【０００２】
従来、電子写真方式の画像形成装置において、トナー画像を担持した用紙に加熱定着を行うと、水分蒸発によりカールや波打ち等の用紙変形が発生するという問題に対応するため、用紙に水を塗布する加湿部を備えた構成のものが知られている。
用紙に水を塗布するにあたっては、用紙の種類、坪量、用紙上に形成されたトナー画像の面積等により最適な加湿量が異なるため、加湿部による加湿量を速やかに変更可能とする技術が必要とされている。
例えば、特許文献１には、スポンジからなる水塗布ローラーに対する水量規制ローラーの食い込み量を変更することにより、加湿量を変更可能とする技術が提案されている。また、例えば、特許文献２には、ソリッドゴムからなる計量ローラー同士のニップ圧を変更することにより、加湿量を変更可能とする技術が提案されている。
【先行技術文献】
【特許文献】
【０００３】
【特許文献１】特開平１１−１９４６８４号公報
【特許文献２】特開２０００−３５６８７２号公報
【発明の概要】
【発明が解決しようとする課題】
【０００４】
しかしながら、特許文献１に記載の技術は、初期的な加湿量の変更は可能であるものの、画像形成の進行に伴いスポンジローラーにトナーや紙粉により目詰まりが発生し、加湿量が急減する場合があった。
また、特許文献２に記載の技術は、ソリッドゴムからなるローラーのため、ニップ圧を変更しても実際にはほとんど加湿量を変更できず、有効な加湿量の変更方法とはいえないものであった。
【０００５】
本発明の課題は、安定して有効な加湿量の変更を可能とする用紙加湿装置及び画像形成システムを提供することである。
【課題を解決するための手段】
【０００６】
上記課題を解決するため、本発明によれば、用紙加湿装置は、
水を貯留する貯水部と、
用紙を加湿する加湿ローラーと、
保水量の異なる少なくとも２つの給水ローラーを有し、前記少なくとも２つの給水ローラーのうちの少なくとも一の給水ローラーが前記加湿ローラーに接触して、前記貯水部から吸い上げた水を前記加湿ローラーに供給する給水ローラーユニットと、
用紙条件に応じて、前記加湿ローラーに接触する給水ローラーを切換えて、前記加湿ローラーの加湿量を制御する制御部と、
を備えたことを特徴とする。
【０００７】
また、本発明によれば、画像形成システムは、
用紙に対して画像を形成する画像形成装置と、
前記画像形成装置に接続され、前記画像形成装置により画像が形成された用紙を加湿する前記用紙加湿装置と、
を備えたことを特徴とする。
【発明の効果】
【０００８】
本発明によれば、安定して有効な加湿量の変更を可能とすることができる。
【図面の簡単な説明】
【０００９】
【図１】画像形成システムの全体構成を示す概略模式図である。
【図２】画像形成システムの動作制御に係る主要構成を示すブロック図である。
【図３】第１用紙処理装置の主要構成を示す図である。
【図４】第１の実施の形態の加湿部の主要構成を示す図である。
【図５】表面粗さと保水量の関係を示すグラフの一例である。
【図６】加湿部における給水ローラーの切換えについて説明するための図である。
【図７】第２の実施の形態の加湿部の主要構成を示す図である。
【図８】第３の実施の形態の加湿部の主要構成を示す図である。
【発明を実施するための形態】
【００１０】
＜第１の実施の形態＞
以下、本発明の第１の実施の形態について図面を参照して説明する。但し、発明の範囲は、図示例に限定されない。
【００１１】
［画像形成システム］
図１は、第１の実施の形態に係る画像形成システム１の全体構成を示す概略模式図である。図２は、画像形成システム１の動作制御に係る主要構成を示すブロック図である。
図１、２に示すように、画像形成システム１は、画像形成装置１００、第１用紙処理装置２００、及び第２用紙処理装置３００を備える。
画像形成装置１００は、用紙Ｐに対して画像を形成する装置である。
第１用紙処理装置２００は、画像形成装置１００により画像が形成された用紙Ｐを加湿する加湿処理を行う用紙加湿装置である。
第２用紙処理装置３００は、画像形成装置１００により画像が形成された複数の用紙Ｐを糊付けして製本する製本処理を行う製本装置である。
なお、以下の説明において、画像形成装置１００、第１用紙処理装置２００、及び第２用紙処理装置３００が連結される方向をＸ方向、鉛直方向をＺ方向、Ｘ方向及びＺ方向に直交する方向をＹ方向とする。
【００１２】
［画像形成装置］
先ず、画像形成装置１００について説明する。
画像形成装置１００は、図１、２に示すように、例えば、読取部１１０、給紙トレイ１２０、搬送機構１３０、画像形成部１４０、定着部１５０、制御部１６０、記憶部１７０、操作表示部１８０、及び通信部１９０等を備える。
【００１３】
読取部１１０は、原稿を光学的に読み取って画像データを生成する。
具体的には、読取部１１０は、例えば、ＣＣＤ（charge-coupled device）イメージセンサーやＣＭＯＳ（Complementary Metal Oxide Semiconductor）イメージセンサー等の撮像素子を具備して読み取った画像に応じた電気信号を出力するセンサー部１１１や、センサー部１１１から出力された電気信号に基づいて画像データを生成する図示しない生成部、センサー部１１１による原稿の読取方向側に設けられた光の透過性を有する板状の部材を具備して当該板状の部材上に原稿を載置可能に設けられた原稿台１１３、センサー部１１１に対して相対的に原稿を移動させるように搬送する自動原稿送り装置１１４（ＡＤＦ：Auto Document Feeder）等を備える。センサー部１１１は、原稿台１１３に載置された原稿を読み取る。また、センサー部１１１は、自動原稿送り装置１１４によって搬送される原稿を読み取る。
【００１４】
給紙トレイ１２０は、画像形成装置１００の筐体に対する収納状態又は引出し状態を切り替え可能に設けられて用紙Ｐを備蓄可能に設けられた箱状の部材であり、画像形成装置１００により画像が形成される前の用紙Ｐを備蓄する。図１に示すように、給紙トレイ１２０は複数設けられ、それぞれ異なるサイズの用紙Ｐを備蓄することができる。なお、複数の給紙トレイ１２０は同一のサイズの用紙Ｐを備蓄してもよい。
【００１５】
搬送機構１３０は、給紙トレイ１２０、画像形成部１４０、定着部１５０等の各部間で用紙Ｐを搬送する。
具体的には、搬送機構１３０は、例えば、給紙トレイ１２０、画像形成部１４０、定着部１５０等の各部間及びその周囲において定められた所定の用紙搬送経路に沿って間欠的に設けられた複数のローラーや、各ローラーを駆動する図示しない駆動部等を有する。搬送機構１３０は、給紙トレイ１２０に備蓄された用紙Ｐを１枚ずつ引き出して画像形成部１４０に搬送し、画像形成部１４０により画像が形成された用紙Ｐを定着部１５０に搬送し、定着部１５０により画像が定着された用紙Ｐを第１用紙処理装置２００側に設けられた排紙口から排出するように搬送する。また、両面印刷が行われる場合、搬送機構１３０は、定着部１５０と排紙口との間の搬送経路上に設けられた分岐点１３１から用紙Ｐの表裏を反転させて画像形成部１４０側に戻すよう動作する。
【００１６】
画像形成部１４０は、用紙Ｐに画像を形成する。
具体的には、画像形成部１４０は、例えば、搬送機構１３０により搬送される用紙Ｐに対して外周面が当接するように設けられた感光体１４１や、感光体１４１に帯電処理を施す帯電部１４２、帯電された感光体１４１に画像データに応じた露光処理を施す露光部１４３、画像データに応じたトナー像を形成して感光体１４１に転写（一次転写）する現像部１４４、感光体１４１に転写されたトナー像を用紙Ｐに転写（二次転写）する転写部１４５、感光体１４１上に残留したトナーを感光体１４１から取り除くクリーニング部１４６等を備える。本実施の形態における画像形成部１４０は、上記の構成により電子写真方式による画像形成を行うが、一例であってこれに限られるものでない。画像形成部１４０は、例えば、インクジェット等、他の画像形成方法による画像形成を行うための構成を具備していてもよい。
また、図１に図示した画像形成部１４０は、一つの現像部１４４を備え、単色による画像形成を行う構成であるが、一例であってこれに限られるものでない。画像形成部１４０は、例えば、シアン（Ｃ）、マゼンタ（Ｍ）、イエロー（Ｙ）及びブラック（Ｋ）の各色に応じた現像部１４４を備え、これらの色の組み合わせによるカラー印刷を行うことができるように設けられていてもよい。
【００１７】
定着部１５０は、画像形成部１４０によって用紙Ｐに形成された画像を定着させる。
具体的には、定着部１５０は、例えば、用紙Ｐの搬送経路を挟んで互いの外周面が当接するように設けられた定着ローラー対１５１、１５１や、定着ローラー対１５１、１５１のうち、画像形成部１４０により画像が形成された用紙Ｐの面側（例えば、図１の上側）のローラーを加熱する加熱部１５２等を備える。定着部１５０は、回転駆動される定着ローラー対１５１、１５１により用紙Ｐを挟み込むとともに加熱部１５２により加熱された一方のローラーで画像が形成された用紙Ｐを加熱しながら搬送することで、用紙Ｐに転写されたトナー像を用紙Ｐに定着させる。
【００１８】
制御部１６０は、操作表示部１８０又は通信部１９０から入力される指示に応じて、画像形成システム１の各装置や各装置が備える各部を統括的に制御する。制御部１６０は、ＣＰＵ（Central Processing Unit）、ＲＡＭ（Random Access Memory）等を備えており、ＣＰＵは、記憶部１７０に格納されたプログラムを読み出し、ＲＡＭ内のワークエリアに展開し、プログラムとの協働によって各種処理を実行する。
例えば、制御部１６０は、読取部１１０を介して取得された画像データに基づいて、画像形成装置１００による用紙Ｐに対する画像形成等を行う。
また、制御部１６０は、予め設定された設定条件に応じて、第１用紙処理装置２００において用紙Ｐに対する加湿処理を行う。なお、加湿処理の詳細については後述する。
また、制御部１６０は、予め設定された設定条件に応じて、第２用紙処理装置３００において用紙Ｐに対する製本処理を行う。
【００１９】
記憶部１７０は、制御部１６０により実行されるプログラム、プログラムの実行に必要なデータを記憶している。
例えば、記憶部１７０は、第１用紙処理装置２００における加湿処理に関する設定条件や、第２用紙処理装置３００における製本処理に関する設定条件を記憶する。
【００２０】
なお、本実施の形態では、画像形成装置１００の制御部１６０が画像形成システム１を構成する各装置の動作制御を行うが、かかる構成は一例であってこれに限られるものでない。例えば、画像形成システム１の動作制御のための制御装置が別途設けられていてもよいし、各装置に個別に制御部が設けられていてもよい。
【００２１】
操作表示部１８０は、画像形成システム１の動作に係る各種の情報を表示するとともに表示内容に応じてユーザーにより行われる各種の入力操作を検知するタッチパネルや、ユーザーにより行われる各種の入力操作のための複数のスイッチ等を備える。なお、制御部１６０は、操作表示部１８０のタッチパネルにおける表示内容の制御に係る処理を行う。また、制御部１６０は、操作表示部１８０を介してユーザーにより行われた各種の入力操作内容に基づいて画像形成システム１の動作を制御する。
【００２２】
通信部１９０は、ネットワークインターフェースカード（Network Interface Card 、ＮＩＣ）又はこれに相当する構成等を具備し、画像形成システム１と他のコンピューターとの間での通信を行う。制御部１６０は、通信部１９０を介して画像データを含む印刷ジョブが入力された場合、当該印刷ジョブに基づいて、画像形成等を行う。
【００２３】
画像形成装置１００から排出された用紙Ｐは、第１用紙処理装置２００を経て第２用紙処理装置３００に搬送され、第２用紙処理装置３００から冊子となって排出される。
【００２４】
［第１用紙処理装置］
次に、第１用紙処理装置２００について説明する。
図３は、第１用紙処理装置２００の主要構成を示す図である。
第１用紙処理装置２００は、図３に示すように、例えば、導入部２１０、第１搬送部２２０、加湿部２３０、第２搬送部２４０、デカール部２５０、及び排出部２６０等を備える。
なお、以下の説明において、Ｘ方向について右側及び左側を付して説明し、Ｚ方向について上側及び下側を付して説明する。
ここで、右側は、第１用紙処理装置２００に対する画像形成装置１００側であり、左側は、第１用紙処理装置２００に対する第２用紙処理装置３００側である。また、上側は、第１用紙処理装置２００における排出部２６０側であり、下側は、第１用紙処理装置２００における加湿部２３０側である。
【００２５】
導入部２１０は、画像形成装置１００から排出された用紙Ｐを、第１用紙処理装置２００内部に受け入れる。
【００２６】
第１搬送部２２０は、導入部２１０により第１用紙処理装置２００内部に受け入れた用紙Ｐを、導入部２１０より下方に設けられた加湿部２３０に搬送する。第１搬送部２２０の途中には、用紙Ｐを第２搬送部２４０に導く際の搬送経路の分岐点となる分岐点Ｑ１が設けられている。
【００２７】
加湿部２３０は、第１搬送部２２０により搬送されてきた用紙Ｐを加湿するためのものである。加湿部２３０の詳細については後述する。
【００２８】
第２搬送部２４０は、導入部２１０により第１用紙処理装置２００内部に受け入れた用紙Ｐを、加湿部２３０を経ることなく加湿部２３０の下流側に搬送する。即ち、第２搬送部２４０は、第１搬送部２２０の分岐点Ｑ１を介して加湿部２３０に向かわず分岐して搬送された用紙Ｐを、加湿部２３０の下流側に設けられた合流点Ｑ２に搬送する。
【００２９】
デカール部２５０は、用紙Ｐを搬送しながら当該用紙Ｐのカールを矯正するための機構であって、第１デカール部１０、第２デカール部２０、及び第３デカール部３０を備えている。第１デカール部１０及び第２デカール部２０は、用紙Ｐの大きなカールを矯正するためのものであり、第３デカール部３０は、用紙Ｐの微小なカールを矯正するためのものである。
【００３０】
排出部２６０は、第３デカール部３０から搬送されてきた用紙Ｐを受け取り、第２用紙処理装置３００に搬送する。
【００３１】
［第２用紙処理装置］
図１に戻って、第２用紙処理装置３００は、例えば、用紙搬送部３１０、用紙束収納部３２０、用紙束搬送部３３０、糊塗布部３４０、表紙トレイ３５０、断裁部３６０、表紙外装部３７０、及び排出部３８０等を備える。
【００３２】
用紙搬送部３１０は、第１用紙処理装置２００から排出された用紙Ｐを用紙束収納部３２０に搬送する。
用紙束収納部３２０は、用紙搬送部３１０により搬送されてきた用紙Ｐを重ねて収納する。
用紙束搬送部３３０は、用紙束収納部３２０に収納された用紙束を構成する用紙Ｐの枚数が所定枚数となった場合に、当該用紙束を糊塗布部３４０に搬送する。
糊塗布部３４０は、用紙束の辺のうち、冊子の背部に対応する一辺に糊を塗布する。
【００３３】
表紙トレイ３５０は、表紙を備蓄する。表紙トレイ３５０に備蓄された表紙は、断裁部３６０を経由して表紙外装部３７０に搬送される。
断裁部３６０は、用紙束を構成する用紙Ｐの寸法に基づいて、表紙を断裁する。
【００３４】
表紙外装部３７０は、用紙束のうち糊塗布部３４０により糊が塗布された側の辺をくるむように表紙を折り曲げるとともに、折り曲げられた表紙を用紙束に当接させて用紙束に表紙を取り付けて冊子を形成する。
排出部３８０は、用紙Ｐを排出する。
【００３５】
なお、本実施の形態における第２用紙処理装置３００は、複数の用紙Ｐを糊付けして製本する製本装置を例示して説明したが、第２用紙処理装置３００はこれに限られるものでない。第２用紙処理装置３００としては、これ以外にも、例えば、穿孔折り、平綴じ、中綴じ、断裁のいずれか又は複数の種類の後処理を行うための構成を具備していてもよい。また、必ずしも第２用紙処理装置３００が第１用紙処理装置２００に接続されていなくてもよい。
【００３６】
［第１用紙処理装置の加湿部の構成］
次に、第１用紙処理装置２００の加湿部２３０の構成について詳細に説明する。
図４は、加湿部２３０の主要構成を示す図である。
加湿部２３０は、図４に示すように、例えば、一対の加湿ローラー２３１，２３１、加湿ローラー２３１，２３１の各々に水を運ぶ給水ローラーユニットＵ１，Ｕ１、給水ローラーユニットＵ１，Ｕ１に供給される水を貯留する貯水部２３４，２３４、及び水を備蓄するタンク２３５等を備えている。なお、図４においては、タンク２３５の図示は省略している。
【００３７】
加湿ローラー２３１，２３１は、その外周面に水を保持し、用紙Ｐを挟みこみながら回転することで、用紙Ｐを下流に搬送しつつ当該用紙Ｐに水を付与する。
加湿ローラー２３１には、加湿ローラー駆動部２３１ａが備えられ、加湿ローラー駆動部２３１ａの駆動による加湿ローラー２３１の回転に伴って、加湿ローラー２３１に接触した給水ローラー２３２が従回転するようになっている。
【００３８】
給水ローラーユニットＵ１，Ｕ１は、左右対称に設置される。
給水ローラーユニットＵ１の各々は、断面視略三角形状の支持部Ｓと、支持部Ｓの３つの角部にそれぞれ備えられた３本の給水ローラー２３２と、支持部Ｓの中心部に備えられた規制ローラー（規制部材）２３３と、を備えている。
【００３９】
３本の給水ローラー２３２を、第１の給水ローラー２３２Ａ、第２の給水ローラー２３２Ｂ、第３の給水ローラー２３２Ｃとする。
【００４０】
第１の給水ローラー２３２Ａ、第２の給水ローラー２３２Ｂ、及び第３の給水ローラー２３２Ｃは、互いにその保水量が異なるものである。
具体的には、第１の給水ローラー２３２Ａ、第２の給水ローラー２３２Ｂ、第３の給水ローラー２３２Ｃは、例えば、ソリッドゴムなどから構成され、その表面粗さを異ならせることにより、保水量が異なるように構成されている。
【００４１】
図５は、表面粗さ（μｍ）と保水量（％）の関係を示すグラフの一例である。
ここでは、図５に示すように、第１の給水ローラー２３２Ａ、第２の給水ローラー２３２Ｂ、第３の給水ローラー２３２Ｃの順に、保水量が大きくなるように設定されている。
即ち、第１の給水ローラー２３２Ａは、表面粗さが３０μｍで保水量が５％、第２の給水ローラー２３２Ｂは、表面粗さが１８μｍで保水量が３％、第３の給水ローラー２３２Ｃは、表面粗さが１０μｍで保水量が１％となるように設定されている。
【００４２】
このような第１の給水ローラー２３２Ａ、第２の給水ローラー２３２Ｂ、第３の給水ローラー２３２Ｃは、何れか一つが選択的に加湿ローラー２３１及び貯水部２３４に貯留された水に接触する。選択された給水ローラー２３２は、その状態で回転することで、貯水部２３４の水を加湿ローラー２３１に運ぶようになっている。
【００４３】
規制ローラー２３３は、加湿ローラー２３１に接触する位置にある給水ローラー２３２を押圧するように、図示しない付勢部材にて付勢されている。規制ローラー２３３により、加湿ローラー２３１に接触する位置にある給水ローラー２３２に過剰な水分が付与されるのを規制することができる。
なお、規制ローラー２３３は、ブレード状に形成しても良い。
【００４４】
このような給水ローラーユニットＵ１においては、制御部１６０の制御により支持部Ｓが回転することで、加湿ローラー２３１に接触し且つ貯水部２３４に貯留された水に浸漬している給水ローラー２３２を、加湿ローラー２３１及び貯水部２３４の水から離間し、他の給水ローラー２３２を、貯水部２３４に貯留された水に浸漬し且つ加湿ローラー２３１に接触させる動作が実行される。
【００４５】
具体的に、図６（ａ）に示すように、支持部Ｓの回転軸は、規制ローラー２３３の中心軸（回転軸）と同一であり、支持部Ｓを回転させるための駆動部としての第１のモーターＭ１が備えられ、第１のモーターＭ１の駆動により、支持部Ｓは回転可能となっている。また、支持部Ｓは、水平方向へ往復移動可能に支持され、バネ等の付勢部材Ｆにより加湿ローラー２３１の方向に付勢されている。
このため、支持部Ｓを、図６（ａ）の矢印Ａで示す方向に所定角度回転させた場合、加湿ローラー２３１に接触していた給水ローラー２３２は、水平方向に退避しながら加湿ローラー２３１を乗り越えつつ回転することとなる。
【００４６】
なお、支持部Ｓを回転させる機構としては、上記したものに限定されない。
例えば、図６（ｂ）に示すように、支持部Ｓを水平移動させるための水平駆動部としての第２のモーターＭ２と、支持部Ｓを回転させるための回転駆動部としての第３のモーターＭ３が備えられ、第２のモーターＭ２の駆動により、支持部Ｓを水平方向に移動し加湿ローラー２３１から離間させた後、第３のモーターＭ３の駆動により、支持部Ｓの中心軸を中心に所定角度回転させ、その後、再度水平方向（逆方向）に移動させる構成であっても良い。
【００４７】
貯水部２３４，２３４は、選択された給水ローラー２３２の外周面の弧に沿うように弧を描いた底面を有し、その弧状の底面上に水を貯留する。給水ローラー２３２の外周面は、貯水部２３４に貯留された水の水面よりも下側であって、かつ、貯水部２３４の弧状の底面に当接しない位置に維持される。これによって、給水ローラー２３２の下部が貯水部２３４に貯留された水に浸漬し、給水ローラー２３２は、回転に伴って貯水部２３４に貯留された水を外周面に纏わせる。また、貯水部２３４は、送出路２３４ａにより下方のタンク２３５と連結されている。
【００４８】
タンク２３５は、内部に水を備蓄する容器である。タンク２３５内の水は、図示しないポンプの動作によって送出路２３４ａを経て貯水部２３４に送り出される。
【００４９】
［加湿部による加湿処理］
次に、上記した加湿部２３０にて行われる加湿処理について説明する。
【００５０】
先ず、本実施の形態における加湿処理において、対を成す加湿ローラー２３１，２３１により用紙Ｐに供給される水の量は、用紙Ｐの種類、坪量、厚みを含む用紙条件に基づいて決定される。
なお、水の供給量を定めるためのパラメーターは、必ずしもこれでなくてもよく、このうちの何れか一つ又は二つを用いることとしても良いし、これ以外のパラメーターが含まれていてもよい。
【００５１】
具体的に、記憶部１７０に、用紙Ｐの種類、坪量、厚みの組み合わせに応じた適正な水の供給量を示す設定値テーブルが記憶されている。これらの設定値は、予め、種類、坪量、厚みが異なる用紙Ｐにおいて同程度の加湿状態を実現させるために必要な水分量を求めることにより定められている。
制御部１６０は、加湿部２３０に加湿処理を行わせる場合には、まず、画像形成装置１００に対して入力された画像形成を指示するジョブ情報から、用紙Ｐの種類、坪量、厚みを含む用紙条件を示す情報を取得する。
そして、記憶部１７０に記憶されたテーブルを参照し、取得した情報に基づいて水の供給量に係る設定値を取得する。
そして、制御部１６０は、当該設定値に基づいて、第１の給水ローラー２３２Ａ、第２の給水ローラー２３２Ｂ、第３の給水ローラー２３２Ｃの何れか一つを選択し、支持部Ｓを回転させて、選択した給水ローラー２３２を加湿ローラー２３１に接触させる。
加湿ローラー２３１に接触した給水ローラー２３２は、加湿ローラー２３１の回転に伴って従回転する。
【００５２】
ここで、第１の給水ローラー２３２Ａに切換えられた場合、第１の給水ローラー２３２Ａは、表面粗さが最も大きく保水量も大きい。このため、第１の給水ローラー２３２Ａから加湿ローラー２３１に多くの水が供給され、加湿量は大きくなる。
【００５３】
また、第２の給水ローラー２３２Ｂに切換えられた場合、第２の給水ローラー２３２Ｂは、表面粗さが中程度であり保水量も中程度である。このため、第２の給水ローラー２３２Ｂから加湿ローラー２３１に中程度の水が供給され、加湿量は中程度となる。
【００５４】
また、第３の給水ローラー２３２Ｃに切換えられた場合、第３の給水ローラー２３２Ｃは、表面粗さが最も小さく保水量も小さい。このため、第３の給水ローラー２３２Ｃから加湿ローラー２３１に少ない水が供給され、加湿量は小さくなる。
【００５５】
以上のように、本実施の形態によれば、水を貯留する貯水部２３４と、用紙Ｐを加湿する加湿ローラー２３１と、保水量の異なる３つの給水ローラー２３２を有し、３つの給水ローラー２３２のうちの一の給水ローラー２３２が加湿ローラー２３１に接触して、貯水部２３４から吸い上げた水を加湿ローラー２３１に供給する給水ローラーユニットＵ１と、用紙条件に応じて、加湿ローラー２３１に接触する給水ローラー２３２を切換えて、加湿ローラー２３１の加湿量を制御する制御部１６０と、を備える。
このため、保水量の異なる３つの給水ローラー２３２から、用紙条件に応じて、加湿ローラー２３１に接触する給水ローラー２３２が選択され、選択された給水ローラー２３２から加湿ローラー２３１に水が供給されるので、安定して有効な加湿量の変更が可能となる。
【００５６】
また、本実施の形態によれば、加湿ローラー２３１に接触する給水ローラー２３２は、貯水部２３４に貯留された水に浸漬しており、制御部１６０は、加湿ローラー２３１に接触する給水ローラー２３２を切換える際、加湿ローラー２３１に接触する給水ローラー２３２を、貯水部２３４に貯留された水及び加湿ローラー２３１から離間させ、他の給水ローラー２３２を、貯水部２３４に貯留された水に浸漬させ且つ加湿ローラー２３１に接触させる。
このため、加湿ローラー２３１に接触し且つ貯水部２３４に貯留された水に浸漬した給水ローラー２３２を切換えることで、加湿ローラー２３１の加湿量が制御される構成となる。
【００５７】
また、本実施の形態によれば、給水ローラーユニットＵ１は、回転軸を中心に回転可能な支持部Ｓと、支持部Ｓに支持された３つの給水ローラー２３２と、支持部Ｓを回転軸の周りに回転させる第１のモーターＭ１と、支持部Ｓを加湿ローラー２３１の方向に付勢する付勢部材Ｆと、を備え、制御部１６０は、第１のモーターＭ１の駆動により支持部Ｓを回転することで、加湿ローラー２３１に接触する給水ローラー２３２を切換える。
これにより、支持部Ｓを回転するだけで給水ローラー２３２を切換えられる構成であるため、制御を簡単にすることができる。
【００５８】
また、本実施の形態によれば、給水ローラーユニットＵ１は、回転軸を中心に回転可能な支持部Ｓと、支持部Ｓに支持された３つの給水ローラー２３２と、支持部Ｓを回転軸の周りに回転させる第３のモーターＭ３と、支持部Ｓを水平移動させる第２のモーターＭ２と、を備え、制御部１６０は、第２のモーターＭ２の駆動により支持部Ｓを加湿ローラー２３１から離間させ、第３のモーターＭ３の駆動により支持部Ｓを回転させた後、第２のモーターＭ２の駆動により支持部Ｓを加湿ローラー２３１に接近させることで、加湿ローラー２３１に接触する給水ローラー２３２を切換える。
これにより、給水ローラーユニットＵ１を水平移動及び回転することで、給水ローラー２３２を切換える構成であるため、切換え時に給水ローラー２３２が加湿ローラー２３１に接触せず、各部材の摩耗を防ぐことができる。
【００５９】
また、本実施の形態によれば、給水ローラーユニットＵ１は、加湿ローラー２３１に接触する給水ローラー２３２と接触して当該給水ローラー２３２上の水を規制する規制ローラー２３３を備える。
このため、加湿ローラー２３１に接触する給水ローラー２３２の保水量を、より適切に維持することができる。
【００６０】
また、本実施の形態によれば、規制ローラー２３３は、加湿ローラー２３１に接触する給水ローラー２３２に圧着されており、他の給水ローラー２３２から離間されている。
このため、規制ローラー２３３から他の給水ローラー２３２に水が伝わるのを防止することができる。
【００６１】
また、本実施の形態によれば、支持部Ｓの回転軸と、規制ローラー２３３の回転軸とは、同一である。
このため、給水ローラーユニットＵ１をコンパクトな構成とすることができる。
【００６２】
また、本実施の形態によれば、少なくとも２つの給水ローラー２３２は、表面粗さが互いに異なることにより保水量が異なるものである。
このため、３つの給水ローラー２３２は、表面粗さが互いに異なるだけのものであるので、取扱いを容易にすることができる。
【００６３】
また、本実施の形態によれば、加湿ローラー２３１を回転駆動させる加湿ローラー駆動部２３１ａを備え、加湿ローラー駆動部２３１ａの駆動による加湿ローラー２３１の回転に伴って、加湿ローラー２３１に接触した給水ローラー２３２が従回転する。
このため、簡単な機構により、加湿ローラー２３１及び給水ローラー２３２を動作させることができる。
【００６４】
また、本実施の形態によれば、用紙Ｐを挟持する２つの加湿ローラー２３１，２３１と、２つの加湿ローラー２３１，２３１の各々に対して設けられた２つの給水ローラーユニットＵ１，Ｕ１と、を備え、２つの給水ローラーユニットＵ１，Ｕ１は、左右対称である。
このため、用紙Ｐの両面から加湿することができる。
【００６５】
なお、上記実施の形態によれば、給水ローラーユニットＵ１，Ｕ１には、３本の給水ローラー２３２が備えられていることとして説明したが、給水ローラー２３２の数はこれに限定されない。
【００６６】
＜第２の実施の形態＞
次に、本発明の第２の実施の形態について、第１の実施の形態と異なる点を中心に説明する。なお、第１の実施の形態と同一の構成については、同一の符号を付して説明を省略する。
【００６７】
図７（ａ）〜図７（ｃ）は、第２の実施の形態の加湿部２３０Ａの主要構成を示す図である。
【００６８】
加湿部２３０Ａは、図７（ａ）〜図７（ｃ）に示すように、例えば、加湿ローラー２３１，２３１、加湿ローラー２３１，２３１の各々に水を運ぶ給水ローラーユニットＵ２，Ｕ２、給水ローラーユニットＵ２，Ｕ２に供給される水を貯留する貯水部２３４，２３４、及び水を備蓄するタンク２３５等を備えている。なお、図７（ａ）〜図７（ｃ）においては、タンク２３５の図示は省略している。
【００６９】
給水ローラーユニットＵ２，Ｕ２は、左右対称に設置される。
給水ローラーユニットＵ２の各々は、３本の給水ローラー２３６と、これらを支持する図示しない支持部と、を備えている。
【００７０】
３本の給水ローラー２３６は、第１の給水ローラー２３６Ａ、第２の給水ローラー２３６Ｂ、第３の給水ローラー２３６Ｃとする。
なお、第１の給水ローラー２３６Ａの直径を、第２の給水ローラー２３６Ｂ及び第３の給水ローラー２３６Ｃの直径より大きくすることが好ましい。配置が容易となるためである。
【００７１】
第１の給水ローラー２３６Ａ、第２の給水ローラー２３６Ｂ、第３の給水ローラー２３６は、互いにその保水量が異なるように設定されている。
具体的には、第１の給水ローラー２３６Ａ、第２の給水ローラー２３６Ｂ、第３の給水ローラー２３６Ｃは、例えば、ソリッドゴムなどから構成され、その表面粗さを異ならせることにより、保水量が異なるように構成されている。また、第１の給水ローラー２３６Ａ、第２の給水ローラー２３６Ｂ、第３の給水ローラー２３６Ｃの順に、保水量が大きくなるように設定されている。
【００７２】
３本の給水ローラー２３６は、加湿ローラー２３１の周囲に沿って、隣接するもの同士が接触するように配置されている。
具体的には、３本の給水ローラー２３６は、加湿ローラー２３１を囲むよう配され、第１の給水ローラー２３６Ａの下部は、貯水部２３４に貯留された水に浸漬しており、第１の給水ローラー２３６Ａの上方には、第２の給水ローラー２３６Ｂが第１の給水ローラー２３６Ａに接触するように設けられている。また、第２の給水ローラー２３６Ｂの上方には、第３の給水ローラー２３６Ｃが第２の給水ローラー２３６Ｂに接触するように設けられている。
また、３本の給水ローラー２３６は、それぞれが加湿ローラー２３１に当接又は離間可能となっている。
そして、第１の給水ローラー２３６Ａ、第２の給水ローラー２３６Ｂ、第３の給水ローラー２３６Ｃは、何れか一つが選択的に加湿ローラー２３１に当接することで、所望の加湿量で用紙Ｐを加湿するようになっている。
【００７３】
具体的に、図７（ａ）に示すように、保水量の最も大きな第１の給水ローラー２３６Ａが選択された場合、第１の給水ローラー２３６Ａは、加湿ローラー２３１に従動するため、図７（ａ）の矢印ａで示す方向に回転する。なお、他の給水ローラー２３６も、第１の給水ローラー２３６Ａに従動する。
そして、第２の給水ローラー２３６Ｂが規制ローラーとして機能し、第２の給水ローラー２３６Ｂにより第１の給水ローラー２３６Ａの過剰な水分が落とされ、その第１の給水ローラー２３６Ａから加湿ローラー２３１に水分が供給される。この場合、加湿量が最も大きくなる。
【００７４】
また、図７（ｂ）に示すように、保水量の中程度の第２の給水ローラー２３６Ｂが選択された場合、第２の給水ローラー２３６Ｂは、加湿ローラー２３１に従動するため、図７（ｂ）の矢印ｂで示す方向に回転する。また、他の給水ローラー２３６も、第２の給水ローラー２３６Ｂに従動し、第１の給水ローラー２３６Ａから第２の給水ローラー２３６Ｂに水分が付与される。
そして、第３の給水ローラー２３６Ｃが規制ローラーとして機能し、第３の給水ローラー２３６Ｃにより第２の給水ローラー２３６Ｂの過剰な水分が落とされ、その第２の給水ローラー２３６Ｂから加湿ローラー２３１に水分が供給される。この場合、加湿量は中程度となる。
【００７５】
また、図７（ｃ）に示すように、保水量の小さな第３の給水ローラー２３６Ｃが選択された場合、第３の給水ローラー２３６Ｃは、加湿ローラー２３１に従動するため、図７（ｃ）の矢印ｃで示す方向に回転する。また、他の給水ローラー２３６は、第３の給水ローラー２３６Ｃに従動し、第１の給水ローラー２３６Ａ及び第２の給水ローラー２３６Ｂを介して、第３の給水ローラー２３６Ｃに水分が付与される。
そして、第２の給水ローラー２３６Ｂが規制ローラーとして機能し、第２の給水ローラー２３６Ｂにより第３の給水ローラー２３６Ｂの過剰な水分が落とされ、その第３の給水ローラー２３６Ｃから加湿ローラー２３１に水分が供給される。この場合、加湿量は小さくなる。
【００７６】
以上のように、第２の実施の形態によれば、水を貯留する貯水部２３４と、用紙Ｐを加湿する加湿ローラー２３１と、保水量の異なる３つの給水ローラー２３６を有し、３つの給水ローラー２３６のうちの一の給水ローラー２３６が加湿ローラー２３１に接触して、貯水部２３４から吸い上げた水を加湿ローラー２３１に供給する給水ローラーユニットＵ２と、用紙条件に応じて、加湿ローラー２３１に接触する給水ローラー２３６を切換えて、加湿ローラー２３１の加湿量を制御する制御部１６０と、を備える。
このため、保水量の異なる３つの給水ローラー２３６から、用紙条件に応じて、加湿ローラー２３１に接触する給水ローラー２３６が選択され、選択された給水ローラー２３６から加湿ローラー２３１に水が供給されるので、安定して有効な加湿量の変更が可能となる。
【００７７】
また、第２の実施の形態によれば、給水ローラーユニットＵ２は、加湿ローラー２３１の周囲に沿って、隣接するもの同士が接触するように配置される３つの給水ローラー２３６を有し、３つの給水ローラー２３６のうちの最下方の給水ローラー２３６Ａは、貯水部２３４に貯留された水に浸漬しており、３つの給水ローラー２３６は、各々が加湿ローラー２３１に接離可能であって、制御部１６０は、加湿ローラー２３１に接触する給水ローラー２３６を切換える際、加湿ローラー２３１に接触する給水ローラー２３６を加湿ローラー２３１から離間させ、他の給水ローラー２３６を加湿ローラー２３１に接触させる。
このため、加湿ローラー２３１に接触する給水ローラー２３６を切換えることで、加湿ローラー２３１の加湿量が制御される構成となる。
【００７８】
また、第２の実施の形態によれば、３つの給水ローラー２３６は、貯水部２３４に貯留された水に浸漬する第１の給水ローラー２３６Ａ、第１の給水ローラー２３６Ａに接触する第２の給水ローラー２３６Ｂ、及び第２の給水ローラー２３６Ｂに接触する第３の給水ローラー２３６Ｃであって、第１の給水ローラー２３６Ａ、第２の給水ローラー２３６Ｂ、第３の給水ローラー２３６Ｃの順に、保水量が大きい。
このため、３つの給水ローラー２３６に効率的に水が伝わり、加湿ローラー２３１の加湿量の制御をより容易に行うことができる。
【００７９】
＜第３の実施の形態＞
次に、本発明の第３の実施の形態について、第１の実施の形態と異なる点を中心に説明する。なお、第１の実施の形態と同一の構成については、同一の符号を付して説明を省略する。
【００８０】
図８（ａ）、図８（ｂ）は、第３の実施の形態の加湿部２３０Ｂの主要構成を示す図である。
【００８１】
加湿部２３０Ｂは、図８（ａ）、図８（ｂ）に示すように、例えば、加湿ローラー２３１，２３１、加湿ローラー２３１，２３１の各々に水を運ぶ給水ローラーユニットＵ３，Ｕ３、給水ローラーユニットＵ３，Ｕ３に供給される水を貯留する貯水部２３４，２３４、及び水を備蓄するタンク２３５等を備えている。なお、図８（ａ）、図８（ｂ）においては、タンク２３５の図示は省略している。
【００８２】
給水ローラーユニットＵ３，Ｕ３は、左右対称に設置される。
給水ローラーユニットＵ３の各々は、２本の給水ローラー２３７と、１本の規制ローラー（規制部材）２３３と、これらを支持する図示しない支持部と、を備えている。
【００８３】
２本の給水ローラー２３７は、第１の給水ローラー２３７Ａ、第２の給水ローラー２３７Ｂとする。
【００８４】
第１の給水ローラー２３７Ａ、第２の給水ローラー２３７Ｂは、互いにその保水量が異なるように設定されている。
具体的には、第１の給水ローラー２３７Ａ、第２の給水ローラー２３７Ｂは、例えば、ソリッドゴムなどから構成され、その表面粗さを異ならせることにより、保水量が異なるように構成されている。また、第１の給水ローラー２３７Ａのほうが、第２の給水ローラー２３７Ｂより保水量が大きくなるように設定されている。
【００８５】
２本の給水ローラー２３７は、加湿ローラー２３１の周囲に沿って、互いに接離可能に配置されている。
具体的には、第１の給水ローラー２３７Ａの下部は、貯水部２３４に貯留された水に浸漬しており、第１の給水ローラー２３７Ａの上方には、第２の給水ローラー２３７Ｂが、第１の給水ローラー２３７Ａに対して当接又は離間可能に設けられている。
また、第１の給水ローラー２３７Ａ及び第２の給水ローラー２３７Ｂは、それぞれが加湿ローラー２３１に対して当接又は離間可能となっている。
【００８６】
規制ローラー２３３は、第１の給水ローラー２３７Ａに対して当接又は離間可能であって、第２の給水ローラー２３７Ｂに対して常時当接するように設けられている。
【００８７】
図８（ａ）に示すように、保水量の大きな第１の給水ローラー２３７Ａから水分を供給する場合、規制ローラー２３３は第１の給水ローラー２３７Ａに当接し、第２の給水ローラー２３７Ｂは第１の給水ローラー２３７Ａから離間している。
また、第１の給水ローラー２３７Ａは、加湿ローラー２３１に従動するため、図８（ａ）の矢印ｄで示す方向に回転し、規制ローラー２３３及び第２の給水ローラー２３７Ｂは、第１の給水ローラー２３７Ａに従動する。
そして、第１の給水ローラー２３７Ａは、規制ローラー２３３により過剰な水分が落とされ、その第１の給水ローラー２３７Ａから加湿ローラー２３１に水分が供給される。この場合、加湿量が大きくなる。
【００８８】
図８（ｂ）に示すように、保水量の小さな第２の給水ローラー２３７Ｂから水分を供給する場合、規制ローラー２３３は第１の給水ローラー２３７Ａから離間し、第２の給水ローラー２３７Ｂと第１の給水ローラー２３７Ａとは当接している。
第２の給水ローラー２３７Ｂは、加湿ローラー２３１に従動するため、図８（ｂ）の矢印ｅで示す方向に回転し、第１の給水ローラー２３７Ａ及び規制ローラー２３３は、第２の給水ローラー２３７Ｂに従動する。
そして、第２の給水ローラー２３７Ｂは、規制ローラー２３３により過剰な水分が落とされ、その第２の給水ローラー２３７Ａから加湿ローラー２３１に水分が供給される。この場合、加湿量が小さくなる。
【００８９】
以上のように、第３の実施の形態によれば、水を貯留する貯水部２３４と、用紙Ｐを加湿する加湿ローラー２３１と、保水量の異なる２つの給水ローラー２３７を有し、２つの給水ローラー２３７のうちの一の給水ローラー２３７が加湿ローラー２３１に接触して、貯水部２３４から吸い上げた水を加湿ローラー２３１に供給する給水ローラーユニットＵ３と、用紙条件に応じて、加湿ローラー２３１に接触する給水ローラー２３７を切換えて、加湿ローラー２３１の加湿量を制御する制御部１６０と、を備える。
このため、保水量の異なる２つの給水ローラー２３７から、用紙条件に応じて、加湿ローラー２３１に接触する給水ローラー２３７が選択され、選択された給水ローラー２３７から加湿ローラー２３１に水が供給されるので、安定して有効な加湿量の変更が可能となる。
【００９０】
また、第３の実施の形態によれば、給水ローラーユニットＵ３は、加湿ローラー２３１の周囲に沿って、互いに接離可能に配置される２つの給水ローラー２３７と、加湿ローラー２３１に接触する給水ローラー２３７と接触して当該給水ローラー２３７上の水を規制する規制ローラー２３３と、を有し、２つの給水ローラー２３７のうちの下方の給水ローラー２３７Ａは、貯水部２３４に貯留された水に浸漬しており、２つの給水ローラー２３７は、各々が加湿ローラー２３１に接離可能であって、制御部１６０は、加湿ローラー２３１に接触する給水ローラー２３７を切換える際、加湿ローラー２３１に接触する給水ローラー２３７を加湿ローラー２３１から離間させ、他の給水ローラー２３７を加湿ローラー２３１に接触させる。
このため、加湿ローラー２３１に接触する給水ローラー２３７を切換えることで、加湿ローラー２３１の加湿量が制御される構成となる。
【００９１】
また、第３の実施の形態によれば、２つの給水ローラー２３７は、貯水部２３４に貯留された水に浸漬する第１の給水ローラー２３７Ａ、及び第１の給水ローラー２３７Ａに対して接離可能な第２の給水ローラー２３７Ｂであって、第１の給水ローラー２３７Ａ、第２の給水ローラー２３７Ｂの順に、保水量が大きい。
このため、２つの給水ローラーを２３７に効率的に水が伝わり、加湿ローラー２３１の加湿量の制御をより容易に行うことができる。
【００９２】
なお、本発明を適用可能な実施の形態は、上述した実施の形態に限定されることなく、本発明の趣旨を逸脱しない範囲で適宜変更可能である。
例えば、保水量の異なる少なくとも２つの給水ローラーのうち、加湿ローラーに接触する給水ローラーの数を複数にする構成であっても良い。
【００９３】
また、給水ローラーは、異なる材質のものを用いて保水量を異ならせる構成であっても良い。
【符号の説明】
【００９４】
１  画像形成システム
１００  画像形成装置
１４０  画像形成部
１６０  制御部
２００  第１用紙処理装置（用紙加湿装置）
２３０、２３０Ａ、２３０Ｂ  加湿部
２３１  加湿ローラー
２３１ａ  加湿ローラー駆動部
Ｕ１、Ｕ２、Ｕ３  給水ローラーユニット
Ｓ  支持部
Ｍ１  第１のモーター（駆動部）
Ｍ２  第２のモーター（水平駆動部）
Ｍ３  第３のモーター（回転駆動部）
Ｆ  付勢部材
２３２、２３２Ａ、２３２Ｂ、２３２Ｃ  給水ローラー
２３６、２３６Ａ、２３６Ｂ、２３６Ｃ  給水ローラー
２３７、２３７Ａ、２３７Ｂ  給水ローラー
２３３  規制ローラー（規制部材）
２３４  貯水部
Ｐ  用紙
【図１】
2018039580.tif 000003
【図２】
2018039580.tif 000004
【図３】
2018039580.tif 000005
【図４】
2018039580.tif 000006
【図５】
2018039580.tif 000007
【図６】
2018039580.tif 000008
【図７】
2018039580.tif 000009
【図８】
2018039580.tif 000010